Podtech/llm-jp-corpus-v4-ja_patent huggingface dataset:
【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】
シュードマイシンＡ’、シュードマイシンＡ’の医薬的に許容し得る塩、シュードマイシンＡ’の水和物、シュードマイシンＡ’のエステル、シュードマイシンＢ’、シュードマイシンＢ’の医薬的に許容し得る塩、シュードマイシンＢ’の水和物、シュードマイシンＢ’のエステル、またはそれらの混合物を含む単離されたシュードマイシン。
【請求項２】
シュードマイシンＡ'またはその医薬的に許容し得る塩、水和物またはエステルを含む、請求項１に記載のシュードマイシン。
【請求項３】
式：
【化１】
2002542257.tif 000001
を有する請求項２に記載のシュードマイシン、またはその製薬的に許容される塩、水和物またはエステル。
【請求項４】
シュードマイシンＢ'またはその製薬的に許容される塩、水和物またはエステルを含む、請求項１に記載のシュードマイシン。
【請求項５】
式：
【化２】
2002542257.tif 000002
を有する請求項４に記載のシュードマイシン、またはその製薬的に許容される塩、水和物またはエステル。
【請求項６】  式：
【化３】
2002542257.tif 000003
を有する単離された化合物またはその製薬的に許容される塩、水和物またはエステル。
【請求項７】
式：
【化４】
2002542257.tif 000004
を有する単離された化合物またはその製薬的に許容される塩、水和物またはエステル。
【請求項８】
真菌を、シュードマイシンＡ’、シュードマイシンＡ’の医薬的に許容し得る塩、シュードマイシンＡ’の水和物、シュードマイシンＡ’のエステル、シュードマイシンＢ’、シュードマイシンＢ’の医薬的に許容し得る塩、シュードマイシンＢ’の水和物、シュードマイシンＢ’のエステルまたはそれらの混合物を含む単離されたシュードマイシンと接触させることを含む、真菌活性を阻害する方法。
【請求項９】
シュードマイシンがシュードマイシンＡ'またはその製薬的に許容される塩、水和物またはエステルを含む、請求項８に記載の方法。
【請求項１０】
シュードマイシンが式：
【化５】
2002542257.tif 000005
有するか、またはその製薬的に許容される塩、水和物またはエステルである、請求項９に記載の方法。
【請求項１１】
シュードマイシンがシュードマイシンＢ'またはその製薬的に許容される塩、水和物またはエステルを含む、請求項８に記載の方法。
【請求項１２】
シュードマイシンが式：
【化６】
2002542257.tif 000006
を有するか、あるいはその製薬的に許容される塩、水和物またはエステルである、請求項１１に記載の方法。
【請求項１３】
真菌が Candida parapsilosis, Candida albicans, Cryptococcus neoformans または Histoplasma capsulatum を含む、請求項８に記載の方法。
【請求項１４】  真菌を、
式：
【化７】
2002542257.tif 000007
を有する単離された化合物またはその製薬的に許容される塩、水和物またはエステルと接触させることを含む、真菌活性を阻害する方法。
【請求項１５】
真菌を、
式：
【化８】
2002542257.tif 000008
を有する単離された化合物またはその製薬的に許容される塩、水和物またはエステルと接触させることを含む、真菌活性を阻害する方法。
【請求項１６】
真菌活性を阻害するための医薬組成物の製造における請求項１〜７のいずれかに記載の化合物の使用。
【請求項１７】
真菌活性を阻害するか、患者における真菌感染の症状を減少させるための医薬組成物の製造における請求項１〜７のいずれかに記載の化合物の使用。
【請求項１８】
植物中または植物上において真菌を阻害する方法であって、該植物をシュードマイシンＡ’、シュードマイシンＡ’の医薬的に許容し得る塩、シュードマイシンＡ’の水和物、シュードマイシンＡ’のエステル、シュードマイシンＢ’、シュードマイシンＢ’の医薬的に許容し得る塩、シュードマイシンＢ’の水和物、シュードマイシンＢ’のエステル、またはそれらの混合物を含む単離されたシュードマイシンと接触させることを含む方法。
【請求項１９】
植物中または植物上において真菌を阻害する方法であって、該植物を式：
【化９】
2002542257.tif 000009
を有する単離された化合物と接触させることを含む方法。
【請求項２０】
植物中または植物上において真菌を阻害する方法であって、該植物を式：
【化１０】
2002542257.tif 000010
を有する単離された化合物と接触させることを含む方法。
【手続補正書】
【提出日】平成18年11月15日(2006.11.15)
【手続補正１】
【補正対象書類名】明細書
【補正対象項目名】請求項１
【補正方法】変更
【補正の内容】
【請求項１】  次式（I）：
【化１】
2002542253.tif 000001
｛式中、Ｒ1は８個までの炭素原子を有する直鎖状、分枝鎖状又は環状のアルキル、アルケニル若しくはアルキニル又はＯ−アルキル、Ｏ−アルケニル若しくはＯ−アルキニル基（これらは随意に酸素、硫黄又は窒素原子で中断されていてもよい）、１８個までの炭素原子を有し且つ随意に置換されたアリール又はアルアルキル基、随意に置換された単環又は多環式芳香族又は非芳香族ヘテロ環式基、或いはＮＨ2、ＮＨalk1又はＮＨＯalk2基（ここで、alk1及びalk2は８個までの炭素原子を有するアルキル基を表わす）を表わし、
Ｒ2は水素原子又はハロゲン原子を表わし、
Ｒ3は水素原子、８個までの炭素原子を有するアルキル基又はハロゲン原子を表わし、
Ｒ4はＮＨＲ'又はＮＨＯＲ''基（ここで、Ｒ'及びＲ''は同一であっても異なっていてもよく、水素原子、８個までの炭素原子を有する直鎖状、分枝鎖状若しくは環状のアルキル、アルケニル若しくはアルキニル基又は１４個までの炭素原子を有し且つ随意に置換されたアリール基を表わす）を表わし、
Ｒ5は水素原子又は８個までの炭素原子を有するＯ−アルキル基を表わし、
Ｒ6はアルキル又はＣＨ2−Ｏ−アルキル基（ここで、アルキルは８個までの炭素原子を有するアルキル基を表わす）を表わし、
Ｒ7は水素原子又は８個までの炭素原子を有するアルキル基を表わし、
Ｒ6及びＲ7はそれらを有する炭素原子と一緒になって環を形成することもできる｝
の化合物又はそれらの塩基付加塩。
【手続補正２】
【補正対象書類名】明細書
【補正対象項目名】０００２
【補正方法】変更
【補正の内容】
【０００２】
本発明の主題は、次式（I）：
【化９】
2002542253.tif 000002
｛式中、Ｒ1は８個までの炭素原子を有する直鎖状、分枝鎖状又は環状のアルキル、アルケニル若しくはアルキニル又はＯ−アルキル、Ｏ−アルケニル若しくはＯ−アルキニル基（これらは随意に酸素、硫黄又は窒素原子で中断されていてもよい）、１８個までの炭素原子を有し且つ随意に置換されたアリール又はアルアルキル基、随意に置換された単環又は多環式芳香族又は非芳香族ヘテロ環式基、或いはＮＨ2、ＮＨalk1又はＮＨＯalk2基（ここで、alk1及びalk2は８個までの炭素原子を有するアルキル基を表わす）を表わし、
Ｒ2は水素原子又はハロゲン原子を表わし、
Ｒ3は水素原子、８個までの炭素原子を有するアルキル基又はハロゲン原子を表わし、
Ｒ4はＮＨＲ'又はＮＨＯＲ''基（ここで、Ｒ'及びＲ''は同一であっても異なっていてもよく、水素原子、８個までの炭素原子を有する直鎖状、分枝鎖状若しくは環状のアルキル、アルケニル若しくはアルキニル基又は１４個までの炭素原子を有し且つ随意に置換されたアリール基を表わす）を表わし、
Ｒ5は水素原子又は８個までの炭素原子を有するＯ−アルキル基を表わし、
Ｒ6はアルキル又はＣＨ2−Ｏ−アルキル基（ここで、アルキルは８個までの炭素原子を有するアルキル基を表わす）を表わし、
Ｒ7は水素原子又は８個までの炭素原子を有するアルキル基を表わし、
Ｒ6及びＲ7はそれらを有する炭素原子（言い換えれば、それらが結合している炭素原子）と一緒になって環を形成することもできる｝
の化合物及びそれらの塩基付加塩にある。
【手続補正書】
【提出日】平成19年4月17日(2007.4.17)
【手続補正１】
【補正対象書類名】明細書
【補正対象項目名】特許請求の範囲
【補正方法】変更
【補正の内容】
【特許請求の範囲】
【請求項１】ホルムオノネチンと、ビオカニン、ゲニステインおよびダイゼインから選択される１以上のイソフラボン類を、ホルムオノネチンと当該イソフラボンの比率が治療効果のある１５：１から２：１の比率で、任意には１以上の担体、賦形剤、補助剤及び／または希釈剤とともに含む組成物。
【請求項２】ホルムオノネチンと当該イソフラボン類の比率が10：１から２：1である請求項１記載の組成物。
【請求項３】ホルムオノネチンとビオカニンからなる請求項１記載の組成物。
【請求項４】固体投与単位の形体である請求項１記載の組成物。
【請求項５】錠剤、カプセル剤、顆粒剤、バッカル剤または座薬の形体である請求項４記載の組成物。
【請求項６】前記ホルムオノネチンとビオカニンがヒヨコマメまたはクローバーの抽出物からなる請求項１記載の組成物。
【請求項７】前記クローバーがアカツメクサ(red clover :T.pratense)、サブタレーニアンツメクサ(subterranean clover: T.subterranean)、またはシロツメクサ(white clover: T.repens)から選択される請求項6記載の組成物。
【請求項８】前記クローバーがアカツメクサである請求項7記載の組成物。
【請求項９】循環器系疾患の治療及び／または予防、または血中リポ蛋白質レベルの改善、または虚血性心疾患のリスクの低減、または動脈硬化症のリスクの低減、骨粗鬆症の治療または予防、及び／または骨折の予防及び／または治療のように骨密度の改善または維持のための請求項１記載の組成物。
【請求項１０】１以上のビタミン類を付加的に含有する請求項１記載の組成物。
【請求項１１】当該ビタミン類がビタミンC、ビタミンD、ビタミンＥ、ビタミンK、ビタミンＡ及びビタミンBの１以上から選択される請求項１０記載の組成物。
【請求項１２】カルシウム含有化合物(0.5g-2g)を付加的に含む請求項１記載の組成物。
【請求項１３】飲料に組み合わされる請求項１記載の組成物。
【請求項１４】飲料が栄養飲料、スポーツ飲料、ジュース、牛乳、牛乳代替物から選択される請求項13記載の組成物。
【請求項１５】食品に組み合わされる請求項１記載の組成物。
【請求項１６】食品がヨーグルト、フードバー、スプレッド、ハードチーズ、ソフトチーズまたはコッテージチーズである請求項１５記載の組成物。
【請求項１７】薬剤組成物の形体である請求項１記載の組成物。
【請求項１８】形体がピル、錠剤、カプセル剤、座薬、糖衣錠または舌下投与製剤である請求項１７記載の組成物。
【請求項１９】循環器系疾患の治療及び／または予防、または血中リポタンパクレベルの改善、または人におけるトロンボゲン(trombogenic)形成傾向の低減、または虚血性心疾患のリスクの低減、または動脈硬化症のリスクの低減、骨粗鬆症の治療または予防、及び／または骨折の予防及び／または治療のように骨密度の改善または維持のための医薬の製造に、ホルムオノネチンと、ビオカニン、ゲニステイン及びダイゼインから選択される１以上のイソフラボン類の15：1から2：1の比率における使用方法。
【請求項２０】ホルムオノネチンとビオカニンを15：1から2：1の比率で用意し、１以上の担体、賦形剤、補助剤または希釈剤と混合し人への投与のための組成物を作る工程を含む請求項１９記載の使用方法。
【請求項２１】前記医薬が血中の脂質タンパクレベルを改善するためのものである請求項１９記載の使用方法。
【請求項２２】前記医薬が当該人の血中高密度リポ蛋白質の濃度を増加させるためのものである請求項２１記載の使用方法。
【請求項２３】前記医薬が血中低密度リポ蛋白質の濃度を低下させるためのものである請求項２１記載の使用方法。
【請求項２４】前記医薬が血管系病気のリスク低減のためのものである請求項１９記載の使用方法。
【請求項２５】前記医薬が虚血性心疾患のリスク低減のためのものである請求項１９記載の使用方法。
【請求項２６】前記医薬が動脈硬化症のリスク低減のためのものである請求項１９記載の使用方法。
【請求項２７】前記医薬が骨粗鬆症の治療または予防のためのものである請求項１９記載の使用方法。
【請求項２８】前記医薬が骨折予防または治療のためのものである請求項１９記載の使用方法。
【請求項２９】前記骨折が主に皮質骨（cortical bone）組織の骨を含む骨折のためのものである請求項２８の使用方法。
【請求項３０】前記骨が大腿骨頚部、大腿骨、上腕骨、橈骨、尺骨、または脛骨から選ばれた骨である請求項２９記載の使用方法。
【請求項３１】ホルムオノネチンと前記イソフラボン類の比率が10：1から2： 1である請求項１９記載の使用方法。
【請求項３２】前記医薬がが固体投与形体である請求項１９記載の使用方法。
【請求項３３】前記投与形体が錠剤、カプセル剤、顆粒剤、バッカル剤、または座薬である請求項１９記載の使用方法。
【請求項３４】前記ホルムオノネチンとビオカニンがヒヨコマメまたはクローバーの抽出物からなる請求項１９記載の使用方法。
【請求項３５】当該クローバーがアカツメクサ(T.pratense)、サブタレーニアンツユクサ(T.subterranean)、またはシロツメクサ(T.repens)から選択される請求項３４記載の使用方法。
【請求項３６】前記クローバーがアカツメクサである請求項３５記載の使用方法。
【請求項３７】前記医薬が閉経前、閉経期、または閉経後の女性に投与するためのものである請求項１９記載の使用方法。
【請求項３８】前記女性が正常コレステロール、または高コレステロール血症である請求項３７記載の使用方法。
【請求項３９】前記女性がアテロ−ム性動脈硬化症である請求項３８記載の使用方法。
【請求項４０】前記医薬が正常コレステロールまたは高コレステロール血症の男性に投与するためのものである請求項１９記載の使用方法。
【手続補正書】
【提出日】平成19年4月19日(2007.4.19)
【手続補正１】
【補正対象書類名】明細書
【補正対象項目名】特許請求の範囲
【補正方法】変更
【補正の内容】
【特許請求の範囲】
【請求項１】  哺乳動物におけるうっ血性心不全を処置または予防するための組成物であって、上皮増殖因子様（ＥＧＦ様）ドメインを含むポリペプチドを含有し、ここで、該ＥＧＦ様ドメインが、ニューレグリン遺伝子によってコードされ、ここで、該組成物が、該哺乳動物における心不全を処置または予防するのに有効な量で投与されるのに適している、組成物。
【請求項２】  請求項１に記載の組成物であって、ここで、前記ニューレグリン遺伝子が、ＮＲＧ−１遺伝子である、組成物。
【請求項３】  請求項２に記載の組成物であって、ここで、前記ポリペプチドが、ＮＲＧ−１遺伝子によってコードされる、組成物。
【請求項４】  請求項３に記載の組成物であって、ここで、前記ポリペプチドが、組換えヒトＧＧＦ２である、組成物。
【請求項５】  請求項１に記載の組成物であって、ここで、前記ニューレグリン遺伝子が、ＮＲＧ−２遺伝子である、組成物。
【請求項６】  請求項５に記載の組成物であって、ここで、前記ポリペプチドが、ＮＲＧ−２遺伝子によってコードされる、組成物。
【請求項７】  請求項１に記載の組成物であって、ここで、前記ニューレグリン遺伝子が、ＮＲＧ−３遺伝子である、組成物。
【請求項８】  請求項７に記載の組成物であって、ここで、前記ポリペプチドが、ＮＲＧ−３遺伝子によってコードされる、組成物。
【請求項９】  請求項１に記載の組成物であって、ここで、前記哺乳動物が、ヒトである、組成物。
【請求項１０】  請求項１に記載の組成物であって、ここで、前記うっ血性心不全が、高血圧；虚血性心臓疾患；心臓毒性化合物への曝露；心筋炎；甲状腺疾患；ウイルス感染；歯肉炎；薬物濫用；アルコール濫用；心膜炎；アテローム硬化；血管性疾患；肥大型心筋症；急性心筋梗塞；左心室収縮機能不全；冠動脈バイパス手術；飢餓；摂食障害；または遺伝的欠陥から生じる、組成物。
【請求項１１】  請求項１０に記載の組成物であって、ここで、前記哺乳動物が、心筋梗塞を被っている、組成物。
【請求項１２】  請求項１０に記載の組成物であって、ここで、前記心臓毒性化合物が、アントラサイクリン；アルコール；またはコカインである、組成物。
【請求項１３】  請求項１２に記載の組成物であって、ここで、前記アントラサイクリンが、ドキソルビシンまたはダウノマイシンである、組成物。
【請求項１４】  請求項１３に記載の組成物であって、ここで、抗ＥｒｂＢ２抗体または抗ＨＥＲ２抗体が、アントラサイクリンの投与の前、投与の間、または投与の後に前記哺乳動物に投与されるのに適している、組成物。
【請求項１５】  請求項１０に記載の組成物であって、ここで、前記心臓毒性化合物が、抗ＥｒｂＢ２抗体または抗ＨＥＲ２抗体である、組成物。
【請求項１６】  請求項１４または１５に記載の組成物であって、ここで、前記抗ＥｒｂＢ２抗体または抗ＨＥＲ２抗体が、ＨＥＲＣＥＰＴＩＮ（登録商標）である、組成物。
【請求項１７】  請求項１０に記載の組成物であって、ここで、前記ポリペプチドが、前記心臓毒性化合物に曝露される前に投与されるのに適している、組成物。
【請求項１８】  請求項１０に記載の組成物であって、ここで、前記ポリペプチドが、前記心臓毒性化合物に曝露される間に投与されるのに適している、組成物。
【請求項１９】  請求項１０に記載の組成物であって、ここで、前記ポリペプチドが、前記心臓毒性化合物に曝露された後に投与されるのに適している、組成物。
【請求項２０】  請求項１に記載の組成物であって、ここで、前記ポリペプチドが、前記哺乳動物におけるうっ血性心不全の診断の前に投与されるのに適している、組成物。
【請求項２１】  請求項１に記載の組成物であって、ここで、前記ポリペプチドが、前記哺乳動物におけるうっ血性心不全の診断の後に投与されるのに適している、組成物。
【請求項２２】  請求項１に記載の組成物であって、ここで、前記ポリペプチドが、代償性心肥大を被る哺乳動物に投与されるのに適している、組成物。
【請求項２３】  請求項１に記載の組成物であって、ここで、前記ポリペプチドの投与が、左心室肥大を維持する、組成物。
【請求項２４】  請求項１に記載の組成物であって、ここで、該組成物が、心筋の薄膜化の進行を妨げる、組成物。
【請求項２５】  請求項１に記載の組成物であって、ここで、前記ポリペプチドの投与が、心筋細胞アポトーシスを阻害する、組成物。
【請求項２６】  請求項１に記載の組成物であって、ここで、前記ポリペプチドが、該ポリペプチドをコードする発現ベクターを該哺乳動物に投与することによって投与されるのに適している、組成物。
【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】
１以上のシュードマイシンの生産方法であって、該方法は、
（１）シュードモナスシリンゲの株ＭＳＵ１６Ｈ、株ＭＳＵ１７４、ＭＳＵ２０６、株２５−Ｂ１（ＡＴＣＣ  ＰＴＡ−１６２２）、株６７Ｈ１（ＡＴＣＣ  ＰＴＡ−１６２１）、株７Ｈ９−１（ＡＴＣＣ  ＰＴＡ−１６２３）、または１０μｇ／ｍＬ以上の量の１以上のシュードマイシンを産生するその変異体の生物学的に純粋な培養液を、グルコース、ＫＨ２ＰＯ４，ツァーペク（Czapek）ミネラル塩溶液、ＭＥＳ緩衝剤、硫酸アンモニウムおよびアミノ酸を含む栄養培地において培養し、
該アミノ酸はグルタミン酸またはグルタミン酸、グリシン、ヒスチジンの組み合わせからなり、
該アミノ酸はグルタミン酸、グリシン、ヒスチジンの組み合わせからなり、可溶性デンプンが場合により存在し、
該培地は４〜６．５のｐＨを有し、
該培養は１５〜３５℃の温度で、５％飽和〜５０％飽和の酸素レベルで、１以上のシュードマイシンが少なくとも約１０μｇ/ｍＬの濃度で生産されるまで行い、
（２）その後、該１以上のシュードマイシンを該培養液から回収する、
ことを含む方法。
【請求項２】
１以上のシュードマイシンの生産方法であって、該方法は、
（１）シュードモナスシリンゲの株ＭＳＵ１６Ｈ、株ＭＳＵ１７４、ＭＳＵ２０６、株２５−Ｂ１（ＡＴＣＣ  ＰＴＡ−１６２２）、株６７Ｈ１（ＡＴＣＣ  ＰＴＡ−１６２１）、株７Ｈ９−１（ＡＴＣＣ  ＰＴＡ−１６２３）、または１０μｇ／ｍＬ以上の量の１以上のシュードマイシンを産生するその変異体の生物学的に純粋な培養液を、２０ｇ／Ｌのグルコース、０．４１ｇ／ＬのＫＨ２ＰＯ４，２ｍＬのツァーペク（Czapek）ミネラル塩溶液、９．８ｇ／ＬのＭＥＳ緩衝剤、１ｇ／Ｌの硫酸アンモニウムおよびアミノ酸を含む栄養培地において培養し、
該アミノ酸は２ｇ／Ｌのグルタミン酸、または２ｇ／Ｌのグルタミン酸、０．５ｇ／ｍＬのグリシン、および２ｇ／Ｌのヒスチジンの組み合わせからなり、
該アミノ酸はグルタミン酸、グリシン、ヒスチジンの組み合わせからなり、可溶性デンプンが５ｇ／Ｌで場合により存在し、
該培地が５．２のｐＨを有し、
該培養は１５〜３５℃の温度で、５％飽和〜５０％飽和の酸素レベルで、１以上のシュードマイシンが少なくとも約１０μｇ/ｍＬまで行い、
（２）その後、該１以上のシュードマイシンを該培養液から回収する、
ことを含む方法。
【請求項３】
シュードモナスシリンゲの株２５−Ｂ１（ＡＴＣＣ  ＰＴＡ−１６２２）、株６７Ｈ１（ＡＴＣＣ  ＰＴＡ−１６２１）、株７Ｈ９−１（ＡＴＣＣ  ＰＴＡ−１６２３）、または１０μｇ／ｍＬ以上の量の１以上のシュードマイシンを産生するその変異体の生物学的に純粋な培養物。
【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】  サポニン、及び免疫刺激性オリゴヌクレオチドであってＣPＧもチーフを含むもの、並びに腫瘍関連抗原、腫瘍拒絶抗原、又は腫瘍支持メカニズムに関連する抗原を含むワクチン組成物。
【請求項２】  前記免疫刺激性オリゴヌクレオチドが、プリン、プリン、Ｃ，Ｇ、ピリミジン、ピリミジンの配列を含む、請求項１に記載のワクチン組成物。
【請求項３】  前記免疫刺激性オリゴヌクレオチドが、ＴＣＣ  ＡＴＧ  ＡＣＧ  ＴＴＣ  ＣＴＧ  ＡＣＧ  ＴＴ（配列番号１）；ＴＣＴ  ＣＣＣ  ＡＧＣ  ＧＴＧ  ＣＧＣ  ＣＡＴ（配列番号２）；ＡＣＣ  ＧＡＴ  ＧＡＣ  ＧＴＣ  ＧＣＣ  ＧＧＴ  ＧＡＣ  ＧＧＣ  ＡＣＣ  ＡＣＧ（配列番号３）；ＴＣＧ  ＴＣＧ  ＴＴＴ  ＴＧＴ  ＣＧＴ  ＴＴＴ  ＧＴＣ  ＧＴＴ（配列番号４）；ＴＣＣ  ＡＴＧ  ＡＣＧ  ＴＴＣ  ＣＴＧ  ＡＴＧ  ＣＴ（配列番号５）から成る群から選ばれる、請求項１に記載のワクチン組成物。
【請求項４】  前記免疫刺激性オリゴヌクレオチドが、少なくとも３つのヌクレオチドにより分離された少なくとも２つのメチル化されていないＣＧリピートを含む、請求項１に記載のワクチン組成物。
【請求項５】  前記免疫刺激性オリゴヌクレオチドが、少なくとも２つのメチル化されていないＣＧリピートであって６ヌクレオチドにより分離されているものを含む、請求項４に記載のワクチン組成物。
【請求項６】  前記サポニンがＱｕｉｌ  Ａから誘導される、請求項１〜５のいずれか１項に記載のワクチン組成物。
【請求項７】  前記Ｑｕｉｌ  Ａ誘導体がＱＳ２１である、請求項６に記載のワクチン組成物。
【請求項８】  鉱物塩、エマルジョン、ポリマー、リポソーム、ＩＳＣＯＭｓから成る群から選ばれる粒子状担体をさらに含む、請求項１に記載のワクチン組成物。
【請求項９】  前記粒子状担体が、油／水エマルジョンである、請求項８に記載のワクチン組成物。
【請求項１０】  前記粒子状担体がリポソームである、請求項８に記載のワクチン組成物。
【請求項１１】  前記リポソームがコレステロールを含む、請求項１０に記載のワクチン組成物。
【請求項１２】  金属塩粒子を含む、請求項８に記載のワクチン組成物。
【請求項１３】  前記金属塩粒子が、水酸化アルミニウム又はリン酸アルミニウムである、請求項１２に記載のワクチン組成物。
【請求項１４】  モノホスホリル・リピドＡ又は３−脱−Ｏ−アシル化モノホスホリル・リピドＡをさらに含む、請求項１〜１３のいずれか１項に記載のワクチン組成物。
【請求項１５】  前記腫瘍関連抗原、腫瘍拒絶抗原、又は腫瘍支持メカニズムに関連する抗原が、以下の群：ＭＡＧＥ抗原、ＰＲＡＭＥ、ＢＡＧＥ、ＧＡＧＥ、腫瘍特異的ガングリオシド、前立腺特異的抗原、Ｈｅｒ−２／Ｎｅｗ、ＫＳＡ（ＧＡ７３３）、ＰＡＰ、マンマグロビン（ｍａｍｍａｇｌｏｂｉｎ）、ＭＵＣ−１、癌胎児抗原、前立腺特異的膜抗原（ＰＳＭＡ）、前立腺幹細胞抗原（ＰＳＣＡ）、チロシナーゼ、スルビビン（ｓｕｒｖｉｖｉｎ）、ＮＹ−ＥＳ０１、プロスターゼ（ｐｒｏｓｔａｓｅ）、ＰＳ１０８、ＲＡＧＥ、ＬＡＧＥ、ＨＡＧＥ、自己ペプチドホルモン又はＧｎＲＨから選ばれる１以上の抗原を含む、請求項１〜１４のいずれか１項に記載のワクチン組成物。
【請求項１６】  前記ワクチンが全身的に投与される、請求項１〜１５のいずれか１項に記載のワクチン組成物。
【請求項１７】  前記ワクチンが粘膜に投与される、請求項１〜１６のいずれか１項に記載のワクチン組成物。
【請求項１８】  前記ワクチン組成物のサポニンが溶血性である、請求項１７に記載のワクチン組成物。
【請求項１９】  医薬として使用されるための請求項１〜１８のいずれか１項に記載のワクチン組成物。
【請求項２０】  癌の予防又は治療用の医薬の製造における、サポニンと、免疫刺激性オリゴヌクレオチドと、腫瘍関連抗原、腫瘍拒絶抗原、又は腫瘍支持メカニズムに関連する抗原との組み合せ使用。
【請求項２１】  サポニンと、免疫刺激性オリゴヌクレオチドと、腫瘍関連抗原、腫瘍拒絶抗原、又は腫瘍支持メカニズムに関連する抗原とを混合することを含む、請求項１〜１９のいずれか１項に記載のワクチン組成物の製造方法。
【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  （ａ）タンパク質又はペプチドと複合しているか、あるいは複合していない、そのいずれかの１又は複数のストレプトコッカス・ニューモニエ（Ｓｔｒｅｐｔｏｃｏｃｃｕｓ  ｐｎｅｕｍｏｎｉａｅ）の多糖類；及び
（ｂ）呼吸性シンシチウムウィルス（ＲＳＶ）抗原と、Ｔｈ１型応答の刺激因子であるアジュバントとを共に含んで成る、ワクチン組成物。
【請求項２】  ストレプトコッカス・ニューモニエの多糖がヘモフィルス・インフルエンザＢ（Ｈａｅｍｏｐｈｉｌｕｓ  ｉｎｆｌｕｅｎｚａｅ  Ｂ）由来のプロテインＤ又はそのフラグメント、プロテインＤの脂質化版（リポタンパク質Ｄ）；破傷風毒素、及びジフテリア毒素を含んで成る群由来のタンパク質に複合している、請求項１に記載のワクチン組成物。
【請求項３】  更に担体を含んで成る、請求項１又は２に記載のワクチン組成物。
【請求項４】  Ｔｈ１型応答の刺激因子が、３Ｄ−ＭＰＬ，粒子サイズが１０００nm又は１０００nm未満である３Ｄ−ＭＰＬ，ＱＳ２１，ＱＳ２１及びコレステロールの混合物、並びにＣｐＧオリゴヌクレオチドを含んで成るアジュバントの群から選択される少なくとも１つのアジュバントである、請求項１〜３のいずれか１項に記載のワクチン組成物。
【請求項５】  Ｔｈ１型応答の前記の刺激因子が３Ｄ−ＭＰＬを含んで成る、請求項４に記載のワクチン組成物。
【請求項６】  更にＱＳ２１を含んで成る、請求項５に記載のワクチン組成物。
【請求項７】  前記のストレプトコッカス・ニューモニエの多糖が２３価の肺炎球菌の多糖ワクチンである、請求項１〜６のいずれか１項に記載のワクチン組成物。
【請求項８】  前記ストレプトコッカス・ニューモニエの多糖が１１価の複合型肺炎球菌多糖ワクチンである、請求項１〜６のいずれか１項に記載のワクチン組成物。
【請求項９】  前記ＲＳＶ抗原がヒトＲＳＶエンベロープ糖タンパク質である、請求項１〜８のいずれか１項に記載のワクチン組成物。
【請求項１０】  前記ＲＳＶ抗原が、ＲＳＶ融合タンパク質ＦとＲＳＶ糖タンパク質Ｇのキメラ融合タンパク質（ＦＧ）又はそのフラグメントである、請求項１〜９のいずれか１項に記載のワクチン組成物。
【請求項１１】  インフルエンザウィルス抗原が追加として存在する、請求項１〜１０のいずれか１項に記載のワクチン組成物。
【請求項１２】  前記担体が、水酸化アルミニウム、リン酸アルミニウム及びトコフェロール及び水中油乳濁液を含んで成る群から選択される、請求項１〜１１のいずれか１項に記載のワクチン組成物。
【請求項１３】  ストレプトコッカス・ニューモニエ抗原及びＲＳＶ抗原を、Ｔｈ１誘導アジュバントと混合することを含んで成る、請求項１〜１２のいずれか１項に記載のワクチンの製造方法。
【請求項１４】  プロテインＤ又はそのフラグメントに複合したストレプトコッカス・ニューモニエの多糖を、ＲＳＶ抗原及び医薬として許容される補形薬と混合することを含んで成る、ワクチン組成物の製造方法。
【請求項１５】  患者のＲＳＶ及び／又はストレプトコッカス・ニューモニエの感染の予防又は回復のための、請求項１〜１２のいずれか１項に記載のワクチンの調製におけるストレプトコッカス・ニューモニエ及びＲＳＶ抗原の使用。
【手続補正書】
【提出日】平成19年4月12日(2007.4.12)
【手続補正１】
【補正対象書類名】明細書
【補正対象項目名】特許請求の範囲
【補正方法】変更
【補正の内容】
【特許請求の範囲】
【請求項１】  ビニル芳香族炭化水素および共役ジエンの水素化されたブロック共重合体を仕上げる方法であり、水素化されたブロック共重合体の水スラリから多孔質ペレットを生産することによる方法であって、前記方法が、スラリの水分含量を９から１６重量パーセントに調節すること、このスラリを、機械的２段階押出し機式乾燥機を通って進ませること、このスラリを温度１００から１８０℃で乾燥させること、および水分含量０．２から３．０重量パーセントを有する多孔質共重合体ペレットを回収することを含む方法。
【手続補正書】
【提出日】平成19年4月16日(2007.4.16)
【手続補正１】
【補正対象書類名】明細書
【補正対象項目名】特許請求の範囲
【補正方法】変更
【補正の内容】
【特許請求の範囲】
【請求項１】  ペースト製品を包装するチューブであって、横方向（ＺＺ’）に沿ってスカート（１）を押しつぶすことによって塞がれる充填端（１２１）を有し、該充填端は前記チューブの第一の端（１２１）を形成している、軸方向（ＸＸ’）に延びる筒状スカート（１）と、前記充填端（１２１）から離れて前記チューブの第二の端（１２２）に配置されるヘッド（２）とを含み、該ヘッド（２）は、それ自体、ペースト製品の供給管（３）と、該供給管（３）の管路の径方向延長部をなすネック（４）とを含み、該ネック（４）は、接合面（５）によりスカート（１）に結合され、該接合面（５）は、前記軸方向（ＸＸ’）を含んで横方向（ＺＺ’）に垂直な長手方向の面（Ｌ１）に所定の最小半径（Ｒ５）を有し、前記スカート（１）は、前記軸方向（ＸＸ’）の横断面（Ｔ）で前記チューブの端（１２１、１２２）の間の中間距離に、所定の円周（Ｃ１）とほぼ一定の厚みとを有するチューブにおいて、該所定の円周（Ｃ１）と該最小半径（Ｒ５）との比（Ｃ１／Ｒ５）は最大でも２０であることを特徴とするチューブ。
【請求項２】  前記所定の円周（Ｃ１）と前記最小半径（Ｒ５）との比（Ｃ１／Ｒ５）は最大でも１０であることを特徴とする請求項１に記載の包装チューブ。
【請求項３】  前記ネック（４）は、前記軸方向（ＸＸ’）に対して有する最大の傾斜（Ａ）が６０°未満であることを特徴とする請求項１または２に記載の包装チューブ。
【請求項４】  前記接合面（５）は、前記軸方向（ＸＸ’）に対して有する最大の傾斜（Ｂ）が最大でも４５゜であることを特徴とする請求項１から３のいずれか一項に記載の包装チューブ。
【請求項５】  前記接合面（５）は、前記軸方向（ＸＸ’）に対して有する最大の傾斜（Ｂ）が最大でも３０゜であることを特徴とする請求項１から４のいずれか一項に記載の包装チューブ。
【請求項６】  前記スカート（１）および前記ネック（４）は、第一および第二の平均的な厚み（Ｅ１、Ｅ２）をそれぞれ有すること、および該第二の平均的な厚み（Ｅ２）と該第一の平均的な厚み（Ｅ１）との比が最大でも２であることを特徴とする請求項１から５のいずれか一項に記載の包装チューブ。
【請求項７】  前記スカート（１）および前記ヘッド（２）は、熱可塑性材料の射出成形により構成されることを特徴とする請求項１から６のいずれか一項に記載の包装チューブ。
【請求項８】  前記スカート（１）および前記ヘッド（２）は、一体成形部品から構成されることを特徴とする請求項１から７のいずれか一項に記載の包装チューブ。
【請求項９】  前記チューブは、前記ヘッド（２）を含めた全面を障壁ワニス（vernis barriere）により被覆されることを特徴とする請求項１から８のいずれか一項に記載の包装チューブ。
【請求項１０】  前記スカートは、前記軸方向（ＸＸ’）に平行でない母線により画定されることを特徴とする請求項１から９のいずれか一項に記載の包装チューブ。
【請求項１１】  前記スカート（１）および前記ヘッド（２）は、弾性的に延伸可能な材料から形成されることを特徴とする請求項１から１０のいずれか一項に記載の包装チューブ。
【請求項１２】  前記所定の円周（Ｃ１）と前記最小半径（Ｒ５）との比（Ｃ１／Ｒ５）は最大でも１．５であることを特徴とする請求項１から１１のいずれか一項に記載の包装チューブ。
【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  中空の弁棒と、
弁棒本体と、
前記弁棒本体を包囲する弁ハウジングと、
前記弁棒と、前記弁棒本体との間の中間部分であって、前記中空の弁棒の内部と、前記弁ハウジングの内部とを連通する少なくとも１つのオリフィスを持つ中間部分と、
前記中間部分のすべてのオリフィスを取り囲み密封する中心開口を持つ弁棒ガスケットと、
を備え、
前記中間部分の少なくとも１つのオリフィスを前記弁棒ガスケットとの接触から露出させることにより弁開放をするように、前記中間部分を移動可能にして成るエーロゾル弁において、
前記弁棒ガスケットが、複数の変化するジュロメータのゾーンを持ち、
前記中間部分のオリフィスに対して密封される前記中心の開口に最も近い前記ゾーンが、前記中心開口からさらに半径方向外側のゾーンのジュロメータに対してより低いジュロメータを有することを特徴とするエーロゾル弁。
【請求項２】  さらに、前記複数のゾーンが、比較的低いジュロメータを有する中心開口に最も近い第１ゾーンと、前記第１ゾーンのジュロメータより比較的高いジュロメータを有する前記第１ゾーンから半径方向外側の中間ゾーンと、前記中間ゾーンより比較的より高いジュロメータを有する前記中間ゾーンから半径方向に外側の外部ゾーンとからなる、請求項１記載のエーロゾル弁。
【請求項3】  さらに、半径方向外側に延びる各連続ゾーンがより大きいジュロメータを有することを条件として、前記第１ゾーンはショアＡが４５〜６５のジュロメータを有し、前記中間ゾーンはショアＡが６０〜７５のジュロメータを有し、前記外部ゾーンはショアＡが７０〜８５のジュロメータを有する、請求項２記載のエーロゾル弁。
【請求項4】  さらに、前記複数のゾーンを持つガスケットが、比較的低いジュロメータを有する中心オリフィスに最も近い第１ゾーンを備えた４つまたは４つ以上のゾーンを有し、各連続ゾーンが比較的高いジュロメータを有して半径方向外側に延びる、請求項１記載のエーロゾル弁。
【請求項5】  さらに、前記ゾーンの変化するジュロメータはショアＡが４５〜８５である請求項３記載のエーロゾル弁。
【請求項６】  さらに、前記ガスケットの中心開口に最も近いゾーンが、ショアＡの４５〜６５のジュロメータを有し、前記中心開口に最も近いゾーンのさらに半径方向外側のゾーンが、ショアＡの７０〜８５のジュロメータを有する、請求項１記載のエーロゾル弁。
【請求項７】  中空の弁棒と、
弁棒本体と、
前記弁棒本体を包囲する頂壁及び肩部を持つ弁ハウジングと、
前記弁棒と、前記弁棒本体との間の中間部分であって、前記中空の弁棒の内部と、前記弁ハウジングの内部とを連通する少なくとも１つのオリフィスを持つ中間部分と、
前記中間部分のすべてのオリフィスを取り囲み密封する中心開口と、上部及び下側とを持つ弁棒ガスケットと、
ペデスタル部分を持つ取付けカップであって、前記弁棒ガスケットの下側と前記弁ハウジングの肩部との間で密封部を形成するように、前記弁ハウジングが前記ペデスタル部分内にクリンプされるようにして成る取付けカップと、
を備えたエーロゾル弁において、
前記弁棒ガスケットが、複数の変化するジュロメータのゾーンを持ち、
前記中心開口に最も近いゾーンが比較的低いジュロメータを有し、前記ハウジングの肩部が前記弁棒ガスケットの下側と前記弁ハウジングの上部壁との間に密封部を形成するようにクリンプされる領域のゾーンが、前記中心開口に最も近いゾーンより大きいジュロメータを有することを特徴とするエーロゾル弁。
【請求項８】  さらに、前記複数のゾーンが、比較的低いジュロメータを有する中心開口に最も近い第１ゾーンと、前記第１ゾーンのジュロメータより比較的高いジュロメータを有する前記第１ゾーンから半径方向外側の中間ゾーンと、前記中間ゾーンより比較的より高いジュロメータを有する前記中間ゾーンから半径方向に外側の外部ゾーンとからなる、請求項７記載のエーロゾル弁。
【請求項９】  さらに、半径方向外側に延びる各連続ゾーンが大きくなるジュロメータを有することをさらに条件として、前記第１ゾーンはショアＡが４５〜６５のジュロメータを有し、前記中間ゾーンはショアＡが６０〜７５のジュロメータを有し、前記外部ゾーンはショアＡが７０〜８５のジュロメータを有する、請求項８記載のエーロゾル弁。
【請求項１０】  さらに、前記弁棒ガスケットが、比較的低いジュロメータを有する中心開口に最も近い第１ゾーンを備えた４つまたそれ以上のゾーンを有し、各連続ゾーンが比較的より高いジュロメータを有して半径方向外側に延びる、請求項７記載のエーロゾル弁。
【請求項１１】  さらに、前記ゾーンに対する変化するジュロメータはショアＡが４５〜８５である、請求項１０記載のエーロゾル弁。
【請求項１２】  さらに、前記弁棒ガスケットの中心開口に最も近いゾーンが、ショアＡが４５〜６５のジュロメータを有し、前記ハウジングの肩部が、前記弁棒ガスケットの下側と前記弁ハウジングの上部壁との間に密封部を形成するようにクリンプされる領域のさらに外側のゾーンは、ショアＡが７０〜８５のジュロメータを有する、請求項７記載のエーロゾル弁。
【請求項１３】  さらに、前記弁ハウジングが、環状溝付き外壁と、前記弁棒ガスケットの下側にクリンプされる前記外壁の半径方向内側に配置された環状直立部材とを有し、前記弁ハウジングの肩部と前記弁棒ガスケットの下側との間のクリンプから周囲に延びるガスケット部分が、該クリンプのジュロメータ値より小さいジュロメータ値を有する、請求項７記載のエーロゾル弁。
【請求項１４】  さらに、前記クリンプの周囲に延びる前記弁棒ガスケットのジュロメータ値が、前記弁棒ガスケットの中心開口に最も近いこの弁棒ガスケットの部分でのジュロメータ値と同じか、より小さいジュロメータ値を有する、請求項７記載のエーロゾル弁。
【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】  芳香族ヒドロキシ化合物を酸素及び一酸化炭素と接触させることによる芳香族ヒドロキシ化合物のカルボニル化に使用されるカルボニル化触媒系であって、鉛及びチタンを含む無機助触媒の組合せを触媒量含むカルボニル化触媒系。
鉛及びチタンを含む無機助触媒の組合せを触媒量含むカルボニル化触媒系。
【請求項２】  無機助触媒の組合せがさらに白金、セリウム、鉄、イッテルビウム、マンガン、亜鉛、ビスマス、ユーロピウム及び銅からなる群から選択される１種以上の物質を含む、請求項１記載のカルボニル化触媒系。
【請求項３】  ニッケル、ジルコニウム、イリジウム、ロジウム、ルテニウム、クロム、ビスマス、鉄、イットリウム、セリウムとマンガン、銅とマンガン、鉄とマンガン、イッテルビウムとマンガン、亜鉛とマンガン、マンガンとユーロピウム、マンガンとビスマス、鉄と銅、セリウムと銅、セリウムと鉄、セリウムとビスマス、及びセリウムと亜鉛からなる群から選択される物質と鉛とチタンとを含む無機助触媒の組合せを触媒量含む、カルボニル化触媒系。
【請求項４】  鉛とチタンとマンガンとユーロピウムとを含む無機助触媒の組合せを触媒量含む、請求項３記載のカルボニル化触媒系。
【請求項５】  さらに有効量のパラジウム源を含む、請求項３記載のカルボニル化触媒系。
【請求項６】  パラジウム源がＰｄ（II）塩又は錯体である、請求項５記載のカルボニル化触媒系。
【請求項７】  パラジウム源がパラジウムアセチルアセトナトである、請求項６記載のカルボニル化触媒系。
【請求項８】  パラジウム源が担持Ｐｄである、請求項５記載のカルボニル化触媒系。
【請求項９】  パラジウム源が炭素に担持されたパラジウムである、請求項８記載のカルボニル化触媒系。
【請求項１０】  さらに有効量のハロゲン化物を含む、請求項５記載のカルボニル化触媒系。
【請求項１１】  ハロゲン化物が臭化テトラエチルアンモニウム又は臭化ヘキサエチルグアニジニウムである、請求項１０記載のカルボニル化触媒系。
【請求項１２】  鉛／パラジウムモル比が０．１〜１００である、請求項５記載のカルボニル化触媒系。
【請求項１３】  芳香族ヒドロキシ化合物をカルボニル化する方法であって、当該方法が、鉛とチタンを含む無機助触媒の組合せを触媒量含むカルボニル化触媒系の存在下で１種以上の芳香族ヒドロキシ化合物を酸素及び一酸化炭素と接触させる段階を含んでなる方法。
【請求項１４】  無機助触媒の組合せがさらに白金、セリウム、鉄、イッテルビウム、マンガン、亜鉛、ビスマス、ユーロピウム及び銅からなる群から選択される１種以上の物質を含む、請求項１３記載の方法。
【請求項１５】  芳香族ヒドロキシ化合物をカルボニル化する方法であって、当該方法が、ニッケル、ジルコニウム、イリジウム、ロジウム、ルテニウム、クロム、ビスマス、鉄、イットリウム、セリウムとマンガン、銅とマンガン、鉄とマンガン、イッテルビウムとマンガン、亜鉛とマンガン、マンガンとユーロピウム、マンガンとビスマス、鉄と銅、セリウムと銅、セリウムと鉄、セリウムとビスマス、及びセリウムと亜鉛からなる群から選択される物質と鉛とチタンとを含む無機助触媒の組合せを触媒量含むカルボニル化触媒系の存在下で１種以上の芳香族ヒドロキシ化合物を酸素及び一酸化炭素と接触させる段階を含んでなる方法。
【請求項１６】  カルボニル化触媒系が鉛とチタンとマンガンとユーロピウムとを含む無機助触媒の組合せを触媒量含む、請求項１５記載の方法。
【請求項１７】  カルボニル化触媒系がさらに有効量のパラジウム源を含む、請求項１５記載の方法。
【請求項１８】  パラジウム源がＰｄ（II）塩又は錯体である、請求項１７記載の方法。
【請求項１９】  パラジウム源がパラジウムアセチルアセトナトである、請求項１８記載の方法。
【請求項２０】  パラジウム源が担持Ｐｄである、請求項１７記載の方法。
【請求項２１】  パラジウム源が炭素に担持されたパラジウムである、請求項２０記載の方法。
【請求項２２】  カルボニル化触媒系がさらに有効量のハロゲン化物を含む、請求項１７記載の方法。
【請求項２３】  ハロゲン化物が臭化テトラエチルアンモニウム又は臭化ヘキサエチルグアニジニウムである、請求項２２記載の方法。
【請求項２４】  芳香族ヒドロキシ化合物がフェノールである、請求項１５記載の方法。
【請求項２５】  パラジウムに対する鉛のモル比が０．１〜１００である、請求項１７記載の方法。
【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】  液体及び気体を殺菌及び精製する方法であって、
前記液体又は気体を、切頭複合濃縮器幾何構造を有する反応器（１）又は反応器群に通すことと、様々な電磁及び音波エネルギーを前記複合濃縮器反応器の所定の内部空間に伝送すると同時に濃縮し、所定の期間にわたり前記反応器又は反応器群に高エネルギー密度領域を形成することとを含むことを特徴とする方法。
【請求項２】  反応器が、複合放物線状濃縮器(３６)である請求項１に記載の方法。
【請求項３】  反応器が、複合楕円状濃縮器である請求項１に記載の方法。
【請求項４】  反応器の内面が、光触媒の薄膜で被覆されている請求項１に記載の方法。
【請求項５】  光触媒がＴｉＯ2である請求項４に記載の方法。
【請求項６】  電磁エネルギーが、電磁スペクトルのあらゆる範囲のもの、又それらを組み合わせたものである請求項１に記載の方法。
【請求項７】  音波エネルギーが、あらゆる適当な周波数のものである請求項１に記載の方法。
【請求項８】  電磁エネルギーの少なくとも一つの源が、反応器に内包されている請求項１に記載の方法。
【請求項９】  電磁エネルギーの少なくとも一つの源が、反応器の外部にある請求項１に記載の方法。
【請求項１０】  電磁エネルギーの少なくとも一つの源が、レーザーである請求項１に記載の方法。
【請求項１１】  レーザーが、パルスレーザー(２３)である請求項１０に記載の方法。
【請求項１２】  高輝度光源を有する放射線ユニットが、約１Ｈｚから約５０ｋＨｚの高い反復率と、約１ｍＪから約５０Ｊｓの高いピーク出力とを有するせん光ランプである請求項１に記載の方法。
【請求項１３】  液体及び気体が、連続的に連結した少なくとも２つの複合放物線状反応器のアレーを通過する請求項１に記載の方法。
【請求項１４】  液体及び気体が、平行に連結した少なくとも２つの複合放物線状反応器のアレーを通過する請求項１に記載の方法。
【請求項１５】  電磁エネルギーが、約２００ｎｍから約４００ｎｍの紫外線（ＵＶ）エネルギーである請求項１に記載の方法。
【請求項１６】  ＵＶ放射線が、パルスを有する請求項１５に記載の方法。
【請求項１７】  前記の請求項のいずれかに定められる方法において使用される複合濃縮器反応器装置であって、前記装置は、気体及び液体が流れるために幅広の入口と狭い出口とを有する中空の切頭濃縮器（２７）であり、前記濃縮器は、その中に高エネルギー密度領域を形成するために光を濃縮し得る所定の光学的濃縮器幾何学構造を有することを特徴とする装置。
【請求項１８】  濃縮器内部形状が、複合放物線状又は楕円状濃縮器幾何学構造である請求項１７に記載の装置。
【請求項１９】  反応器の内壁が、光触媒で被覆されている請求項１７に記載の装置。
【請求項２０】  光触媒が、ＴｉＯ2（酸化チタン）である請求項１９に記載の装置。
【請求項２１】  ＴｉＯ2が、プラズマスパッタリング(１７)によって約０．８ミクロンから約１０００ミクロンの厚さで被覆されている請求項２０に記載の装置。
【請求項２２】  ＴｉＯ2コーティングが、ＳｉＯ2基板上に、約０．８ミクロンから約１５００ミクロンの厚さで適用されて、所定の屈折率を形成する請求項２０に記載の装置。
【請求項２３】  被覆される材料の屈折率が、反応器内を流れる液体又は気体の屈折率よりも小さい請求項１９に記載の装置。
【請求項２４】  被覆された層は複数の溝を有し、前記溝は平行又は格子状に配置され、二つの連続した溝同士間の距離がその上の単一入射波長の長さよりも小さい請求項１７〜２２に記載の装置。
【請求項２５】  反応器が、逆浸透システム又は濾過システムの一部である請求項１７〜２４に記載の装置。
【請求項２６】  液体を殺菌する方法であって、
液体を、反応器の長手方向軸の方向に導電性中空導波管に通し、および
電磁エネルギーが、前記導波管の長手方向軸の方向に伝達されるように、前記電磁エネルギーを外部放射線源から前記導波管へ伝送する方法。
【請求項２７】  前記電磁エネルギーを伝送することが、紫外線放射線を伝送することを含む請求項２６に記載の方法。
【請求項２８】  音波エネルギーを前記導波管に伝送することを含む請求項２６に記載の方法。
【請求項２９】  誘電性導波管装置と、外部放射線ユニットとを含む殺菌器具であって、
前記誘電性導波管装置が、前記装置の長手方向軸に沿って液体用通路を有し、
前記通路が、入り口と出口を有し、
前記外部放射線ユニットが、前記導波管装置の外側に位置し、前記放射線が前記長手方向軸の方向に伝達するように、前記放射線を前記導波管に伝送する器具。
【請求項３０】  前記導波管装置の内壁が、光触媒層を含むコーティングを有する請求項２９に記載の殺菌器具。
【請求項３１】  前記光触媒層が、酸化チタンを含む請求項２９に記載の殺菌器具。
【請求項３２】  前記コーティングが、ＳｉＯ2の基板層を含み、前記光触媒層が、前記ＳｉＯ2の基板層上にある請求項３０に記載の殺菌器具。
【手続補正２】
【補正対象書類名】明細書
【補正対象項目名】００８３
【補正方法】変更
【補正の内容】
【００８３】
図７は、汚染物質及び有害な種を処理、殺菌、中和及び溶解する本発明の方法の概念実験データを示すグラフである。０〜４０の数字は、本発明による装置の照射及び作動中の経過時間を表わし、左側の題目はＣＦＵ数（ログ表記）を示し、グラフ本体の強調された数値は、１０秒の印周辺の３．３から５ログの不活性化（９９．９％不活性化、殺菌）までのログ不活性化を表わす。実験で用いられた細菌は、Ｅ．大腸菌野生型菌種ｋ１２である。レーザーの波長は２６６ｎｍであり、１０Ｈｚで作動された。チタン系反応器建造物の壁上にプラズマスパッタリングされたＴｉＯ2光触媒を用い、レーザーピーク出力はそれぞれ２．５〜４ｍＪ、超音波過渡キャビテーションは２７ｋＨｚ、マグネトロンはオン、酸素インプットは作動されている状態であった。１０〜３０秒後に、相当のＣＦＵ減少が見られた。図８は、本発明の方法および装置の有効性を示す。左側のシャーレ係数は、レーザーに暴露していない寒天およびＣｌの０．９％懸濁液中の大腸菌野生株の有毒な種、株Ｋ１２のＣＦＵ係数（コロニー形成単位）を示している。右側のシャーレは、大腸菌野生株の完全な減少を示している。このことにより、本発明の非化学的かつ非残留性の方法の高い有効性を明確に再確認できた。この実験は、アントランティウム（Antlantium） Ｎｄ；２６６ｎｍでＹＡＧを用い、２次相互作用を引き起こすマイクロ秒未満の時間領域のパルス幅を用いて、行われた。